(57)【要約】　　　（修正有）【課題】ナットおよび座金を常に確実に保持することができ、低コストで、故障が少なく、操作性が良い遠隔操作用ソケット工具を提供する。【解決手段】ソケット本体１は、上端開口部に設けた座金を保持する座金保持部４と、前記座金保持部４に連通してその下方に設けたナットを回転不可に保持するナット保持部５と、前記ナット保持部５に連通してその下方に設けたボルト部が挿通するボルト挿通部６と、下端部に設けた前記遠隔操作棒と着脱可能に連結し得る連結部７とを一体形成してなり、前記座金保持部４にマグネット８を備えると共に、前記ナット保持部５の内側面にボールプランジャー９を備えた構成にする。【選択図】　図１
2004009248.tif 000002
【特許請求の範囲】
【請求項１】
ソケット本体の下端に遠隔操作棒を連結してなり、遠隔位置にあるボルト部に座金を介してナットを締結するために用いる遠隔操作用ソケット工具において、前記ソケット本体は、上端開口部に設けた座金を保持する座金保持部と、前記座金保持部に連通してその下方に設けたナットを回転不可に保持するナット保持部と、前記ナット保持部に連通してその下方に設けたボルト部が挿通するボルト挿通部と、下端部に設けた前記遠隔操作棒と着脱可能に連結し得る連結部とを一体形成してなり、前記座金保持部にマグネットを備えると共に、前記ナット保持部の内側面にボールプランジャーを備えたことを特徴とする遠隔操作用ソケット工具。
【請求項２】
共通する連結部を備えた異種のソケット本体と、上部に前記連結部と嵌合するソケット側嵌合部を有すると共に下部に前記遠隔操作棒と嵌合する操作棒側嵌合部を有する連結アダプターとを有し、前記ソケット本体を選択的に、前記連結アダプターを介して遠隔操作棒に連結した請求項１記載の遠隔操作用ソケット工具。
【発明の詳細な説明】
【０００１】
【発明の属する技術分野】
本発明は、電柱のアームに取付けられたピン碍子のボルト部等の遠隔位置にあるボルト部に座金を介してナットを締付ける際に用いられる遠隔操作用ソケット工具に関するものである。
【０００２】
【従来の技術】
電柱などに付け送配電用の電線を支持するピン碍子２０は、図６に示すように、その下部に、電柱に横設したアーム２５に取付けるためのボルト部２１が設けられており、ピン碍子２０は前記アーム２５に形成された貫通孔２６に上方から挿通され、ボルト部２１の突出部２７に座金（平座金、バネ座金）２２を介してナット２３を締結することによりアーム２５に保持されている。そして従来より前記ピン碍子２０を交換する際に用いられるナット２３の締付け工具としては、絶縁性の遠隔操作棒（図示せず）を備えたソケット工具が知られており、そのような工具は実用新案登録公報第２５８４３５５号等に示されるように種々提唱されている。
【０００３】
なお、上記公報に開示されているソケット工具は、図８に示すように、マグネット３０を備えた座金保持用ソケット部材３１を内設した筒状ホルダー３２に、所要長のナット保持用ディープソケット本体３３が、付勢部材３４を介して、前記ソケット部材３１に嵌合するように前記ホルダー３２の下端部より挿着された構成をしている。そして、このソケット工具を用いたナットの締付け方法としては、前記ディープソケット本体３３内にナット２３を保持させると共に、前記ソケット部材３１内に座金２２を前記マグネット３０により磁着保持させ、絶縁性操作棒の操作によって座金２２およびナット２３をピン碍子２０のボルト部２１に嵌め合わせてから、前記ディープソケット本体３３を前記付勢部材３４の付勢に抗して上動しつつ回転することによってなされるものであった。
【０００４】
【発明が解決しようとする課題】
しかしながら、従来のソケット工具では、座金保持用ソケット部材に備えたマグネットにより、座金を確実に保持した状態でナットの締付けを行なうことができるが、ナットについてはディープソケット本体内に入れ込むだけで、これを確実に保持する手段が全く講じられていなかった。このため特に横方向からナットの締付けを行なう場合にナットの微動により、座金あるいはナットが落下してしまう問題があった。さらに従来の工具は、構造が複雑であるため、コスト高や、故障発生率が高いという問題があった。
【０００５】
本発明は上記問題点に鑑み、ナットおよび座金を常に確実に保持することができ、低コストで、故障が少なく、操作性が良い遠隔操作用ソケット工具を提供することを目的とする。
【０００６】
【課題を解決するための手段】
本発明は上記問題を解決するため、ソケット本体の下端に遠隔操作棒を連結してなり、遠隔位置にあるボルト部に座金を介してナットを締結するために用いる遠隔操作用ソケット工具において、前記ソケット本体は、上端開口部に設けた座金を保持する座金保持部と、前記座金保持部に連通してその下方に設けたナットを回転不可に保持するナット保持部と、前記ナット保持部に連通してその下方に設けたボルト部が挿通するボルト挿通部と、下端部に設けた前記遠隔操作棒と着脱可能に連結し得る連結部とを一体形成してなり、前記座金保持部にマグネットを備えると共に、前記ナット保持部の内側面にボールプランジャーを備えたことを特徴とする。
【０００７】
本発明によれば、座金を座金保持部のマグネットにより磁着保持することにより確実に保持し、さらにナットをナット保持部に備えたボールプランジャーによって押圧保持することにより確実に保持することで、両者を確実に保持した状態でナット締付け等の遠隔作業を行うことができる。
【０００８】
【発明の実施の形態】
以下に本発明の実施形態を図１〜図６に基づいて詳細に説明する。
【０００９】
本実施形態の遠隔操作用ソケット工具は、ピン碍子２０のボルト部２１に座金２２（平座金、バネ座金）を介してナット２３を締結するためのソケット本体１と、前記ソケット本体１を遠隔操作するための絶縁性の遠隔操作棒２と、前記ソケット本体１と前記遠隔操作棒２とを連結するための連結アダプター３とから構成されている。
【００１０】
前記ソケット本体１は、図１〜図３に示すように、大径の頭部４４を備えた円筒形状に形成されており、その内周側中空部は、上端開口から下端開口に向けて、座金２２を保持する座金保持部４、ナット２３を回転不可に保持するナット保持部５、前記ボルト部２１が挿通するボルト挿通部６、前記連結アダプター３と連結するアダプター連結部７が形成された構成となっている。
【００１１】
前記座金保持部４は、ソケット本体１の上端開口から下方に所定深さをその横断面形状が正方形となるように形成されており、その内側面には複数のマグネット８が埋め込まれている。そして、座金２２は前記座金保持部４内に挿入された際に、前記マグネット８により磁着保持される。座金保持部４の横断面形状を円形の座金２２に僅かな遊びを設けて外接する正方形とすることにより、座金２２の位置ズレを防ぎ、かつマグネット８を座金２２との接する箇所に配することにより、座金２２の保持を確実なものとすることができる。なお、座金保持部４の横断面形状は円形等他の形状でもよい。
【００１２】
前記ナット保持部５は、前記座金保持部４から下方に所定深さをその内周面の横断面形状が正六角形となるように形成されており、その一側面にナット２３を押圧保持するボールプランジャー９を備えている。このボールプランジャー９は、図２に示すように、前記ナット保持部５の一側面に所定径の開口を有する球体収容穴１０と、この球体収容穴１０に螺着されるハウジングネジ１１と、前記開口の径より若干径が大の球体１２と、バネ１３とから構成されており、球体１２は前記バネ１３によってその一部が前記開口より外側へ突出するように出没可能に付勢されている。そして、ナット２３はナット保持部５内に挿入された際に、前記ボールプランジャー９の球体１２により、押圧保持される。なお、前記ナット保持部５の横断面形状は、ナット２３の形状に合わせ、例えば、正方形であってもよい。
【００１３】
前記ボルト挿通部６は、前記ナット保持部５から下方に所定深さをテーパ状に形成されたテーパ部１４と、前記ボルト部２１の高さより大の深さを有する円筒部１５とから構成されている。
【００１４】
前記アダプター連結部７は、図３に示すように前記ボルト挿通部６の下端から前記下端開口までの間にその内周面の横断面形状が正方形となるように形成されている。
【００１５】
前記遠隔操作棒２は、図４に示すように、筒状に形成された操作棒４０にグリップ４２、雨切り４３が取り付けられ、先端に前記連結アダプター３と連結するための被連結部４５が設けられている。この被連結部４５には側方に突出する係合ピン５０が設けられている。
【００１６】
前記連結アダプターは、図５に示すように、上部に前記ソケット本体１のアダプター連結部７に挿入する横断面正方形状に形成されたソケット側嵌合部４６と、下部に前記遠隔操作棒２の被連結部４５を収容する空洞部分を設けた操作棒側嵌合部４７とを備えて構成されている。操作棒側嵌合部４７には前記係合ピン５０を導入して、これと係合する略Ｌ字状の係合スリット５１が形成されている。
【００１７】
このように連結アダプター３を介してソケット本体１と遠隔操作棒２を着脱可能に連結することで、図７に示すように、各種の座金２２、ナット２３、ボルト部２１の径などの形状寸法に対応するよう座金保持部４の径Ａ１、Ａ２、ナット保持部の径Ｂ１、Ｂ２、ボルト挿通部６の径Ｃ１、Ｃ２などが適宜定められたソケット本体１に差し替え交換できる構成とすることができる。
【００１８】
次に、本実施形態の遠隔操作用ソケット工具を用いたピン碍子２０のボルト部２１に対するナット２３の締付け作業について説明する。
【００１９】
まず、ナット２３等の形状寸法に適応するソケット本体１を、連結アダプター３を介して遠隔操作棒２にを連結する。次いで、遠隔操作用ソケット工具のナット保持部５にナット２３を挿入し、ボールプランジャー９でナット２３を押圧保持させると共に、座金２２を座金保持部４に挿入し、マグネット８で座金２２を磁着保持させる。その後、遠隔操作棒２を操作し、ナット２３および座金２２をピン碍子２０のボルト部２１に位置合わせをして嵌め合わせる。なお、ナット２３および座金２２をボルト部２１に嵌め合わせる際に、両者は確実に保持されることで、落下等のおそれはない。そして、両者の嵌め合わせ後、遠隔操作棒２をその軸心回りに回転させることにより、前記連結アダプター３を介して前記ソケット本体１を回転させ、ナット２３の締付け作業を完了する。
【００２０】
ピン碍子２０のボルト部２１に対する座金２２、ナット２３の取外し作業は、前記締付け作業の逆手順の作業でこれを行うことができる。
【００２１】
【発明の効果】
本発明によれば、遠隔位置にあるボルト部に対するナット締付け作業等を、ナットおよび座金を常に確実に保持して遠隔作業を行うことができると共に、低コストで、故障が少なく、操作性が良い遠隔操作用ソケット工具を提供することができる。
【図面の簡単な説明】
【図１】本発明の実施形態の遠隔操作用ソケット工具のソケット本体を示す断面図である。
【図２】図１のＩＩ−ＩＩ線端面図である。
【図３】図１のＩＩＩ−ＩＩＩ線端面図である。
【図４】本実施形態を示す正面図である。
【図５】本実施形態の連結アダプターを示し、（ａ）はその正面図、（ｂ）はその平面図である。
【図６】ピン碍子とナットとの締付け作業を示す説明図である。
【図７】図１の他の実施形態を示す断面図である。
【図８】従来のソケット工具を示す断面図である。
【符号の説明】
１　ソケット本体
２　遠隔操作棒
３　連結アダプター
４　座金保持部
５　ナット保持部
６　ボルト挿通部
７　連結部
８　マグネット
９　ボールプランジャー
１２　球体
１３　バネ
２１　ボルト部
２２　座金
２３　ナット
４６　ソケット側嵌合部
４７　操作棒側嵌合部
【図１】
2004009248.tif 000003
【図２】
2004009248.tif 000004
【図３】
2004009248.tif 000005
【図４】
2004009248.tif 000006
【図５】
2004009248.tif 000007
【図６】
2004009248.tif 000008
【図７】
2004009248.tif 000009
【図８】
2004009248.tif 000010